【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
データ入力に用いられる複数の所定の入力用画像のいずれかを、操作に応じて選択して表示画面に表示する入力用画像表示装置であって、前記複数の所定の入力用画像はそれぞれ所定の属性を有し、
操作に応じて、前記複数の所定の入力用画像の属性の内、データ入力の前に第１の属性を指定する第１の属性指定手段と、
操作に応じて、前記複数の所定の入力用画像の属性の内、データ入力の際に第２の属性を指定する第２の属性指定手段と、
入力用画像表示手段と、
前記第１の属性指定手段により指定された第１の属性に基づいて、前記複数の所定の入力用画像の中から、初期表示画像として第１の入力用画像を選択して表示し、前記データ入力の際に、前記第２の属性指定手段により指定された第２の属性に基づいて、前記複数の所定の入力用画像の中から、前記第１の入力用画像と異なる第２の入力用画像を選択して表示するように、前記入力用画像表示手段を制御する制御手段と
を有する入力用画像表示装置。
【請求項２】
前記複数の所定の入力用画像はそれぞれ、アルファベットおよび仮名文字のいずれかを表示したキーボードの画像であって、
前記第１の属性指定手段は、操作に応じて、前記入力用画像のキーの数または配列を示す前記第１の属性を指定し、
前記第２の属性指定手段は、操作に応じて、前記入力用画像がアルファベットおよび仮名文字のいずれを表示するかを示す前記第２の属性を指定する
請求項１に記載の入力用画像表示装置。
【請求項３】
操作に応じて、前記複数の所定の入力用画像の属性の内、データ入力の際に第３の属性を指定する第３の属性指定手段を有し、
前記制御手段は、
前記データ入力の際に、前記第３の属性指定手段により指定された第３の属性に基づいて、前記複数の所定の入力用画像の中から、前記第２の入力用画像と異なる第３の入力用画像を選択して表示するように、前記入力用画像表示手段を制御する
請求項２に記載の入力用画像表示手段。
【請求項４】
前記第３の属性指定手段は、操作に応じて、前記第１の属性がアルファベットを表示することを示す場合には、前記入力用画像が全角文字および半角文字のいずれを表示するかを示す前記第３の属性を指定し、前記第１の属性が仮名文字を表示することを示す場合には、前記入力用画像が平仮名および片仮名のいずれを表示するかを示す前記第３の属性を指定する
請求項３に記載の入力用画像表示装置。
【請求項５】
前記第３の属性指定手段は、操作に応じて、標準時およびシフト時のいずれかを示す前記第３の属性をさらに指定する
請求項４に記載の入力用画像表示装置。
【請求項６】
前記表示画面に表示された入力用画像は、それぞれ異なる第１の図形，第２の図形により表示される第１の入力手段，第２の入力手段
を含み、
前記第１の入力手段，第２の入力手段に対する操作に応じて、
前記第２の属性指定手段および第３の属性指定手段は、それぞれ第２の属性および第３の属性を指定し、
前記制御手段は、
前記第１の入力手段，第２の入力手段を、それぞれ前記第１の図形，第２の図形と異なる第３の図形，第４の図形により表示するように、前記入力用画像表示手段を制御する
請求項３に記載の入力用画像表示装置。
【請求項７】
データ入力に用いられる複数の所定の入力用画像のいずれかを、操作に応じて選択して表示画面に表示する入力用画像表示方法であって、前記複数の所定の入力用画像はそれぞれ所定の属性を有し、
操作に応じて、前記複数の所定の入力用画像の属性の内、データ入力の前に第１の属性を指定し、
指定した前記第１の属性に基づいて、前記複数の所定の入力用画像の中から、初期表示画像として第１の入力用画像を選択して表示し、
操作に応じて、前記複数の所定の入力用画像の属性の内、データ入力の際に第２の属性を指定し、
前記データ入力の際に、指定した前記第２の属性に基づいて、前記複数の所定の入力用画像の中から、前記第１の入力用画像と異なる第２の入力用画像を選択して表示する
入力用画像表示方法。
【請求項８】
前記複数の所定の入力用画像はそれぞれ、アルファベットおよび仮名文字のいずれかを表示したキーボードの画像であって、
操作に応じて、前記入力用画像のキーの数または配列を示す前記第１の属性を指定し、
操作に応じて、前記入力用画像がアルファベットおよび仮名文字のいずれを表示するかを示す前記第２の属性を指定する
請求項７に記載の入力用画像表示方法。
【請求項９】
操作に応じて、前記複数の所定の入力用画像の属性の内、データ入力の際に第３の属性を指定し、
前記データ入力の際に、指定された前記第３の属性に基づいて、前記複数の所定の入力用画像の中から、前記第２の入力用画像と異なる第３の入力用画像を選択して表示する
請求項８に記載の入力用画像表示方法。
【請求項１０】
操作に応じて、前記第１の属性がアルファベットを表示することを示す場合には、前記入力用画像が全角文字および半角文字のいずれを表示するかを示す前記第３の属性を指定し、前記第１の属性が仮名文字を表示することを示す場合には、前記入力用画像が平仮名および片仮名のいずれを表示するかを示す前記第３の属性を指定する
請求項９に記載の入力用画像表示方法。
【請求項１１】
操作に応じて、標準時およびシフト時のいずれかを示す前記第３の属性をさらに指定する
請求項１０に記載の入力用画像表示方法。
【請求項１２】
前記表示画面に表示された入力用画像は、それぞれ異なる第１の図形，第２の図形により表示される第１の入力部，第２の入力部
を含み、
前記第１の入力部，第２の入力部に対する操作に応じて、それぞれ第２の属性および第３の属性を指定し、
前記第１の入力部，第２の入力部を、それぞれ前記第１の図形，第２の図形と異なる第３の図形，第４の図形により表示させる
請求項９に記載の入力用画像表示方法。
【手続補正２】
【補正対象書類名】明細書
【補正対象項目名】０００４
【補正方法】変更
【補正の内容】
【０００４】
【課題を解決するための手段】
上記目的を達成するために、本発明に係る第１の入力用画像表示装置は、データ入力に用いられる複数の所定の入力用画像のいずれかを、操作に応じて選択して表示画面に表示する入力用画像表示装置であって、前記複数の所定の入力用画像はそれぞれ所定の属性を有し、操作に応じて、前記複数の所定の入力用画像の属性の内、データ入力の前に第１の属性を指定する第１の属性指定手段と、操作に応じて、前記複数の所定の入力用画像の属性の内、データ入力の際に第２の属性を指定する第２の属性指定手段と、入力用画像表示手段と、前記第１の属性指定手段により指定された第１の属性に基づいて、前記複数の所定の入力用画像の中から、初期表示画像として第１の入力用画像を選択して表示し、前記データ入力の際に、前記第２の属性指定手段により指定された第２の属性に基づいて、前記複数の所定の入力用画像の中から、前記第１の入力用画像と異なる第２の入力用画像を選択して表示するように、前記入力用画像表示手段を制御する制御手段とを有する。


【手続補正３】
【補正対象書類名】明細書
【補正対象項目名】０００５
【補正方法】変更
【補正の内容】
【０００５】
好適には、前記複数の所定の入力用画像はそれぞれ、アルファベットおよび仮名文字のいずれかを表示したキーボードの画像であって、前記第１の属性指定手段は、操作に応じて、前記入力用画像のキーの数または配列を示す前記第１の属性を指定し、前記第２の属性指定手段は、操作に応じて、前記入力用画像がアルファベットおよび仮名文字のいずれを表示するかを示す前記第２の属性を指定する。
好適には、操作に応じて、前記複数の所定の入力用画像の属性の内、データ入力の際に第３の属性を指定する第３の属性指定手段を有し、前記制御手段は、前記データ入力の際に、前記第３の属性指定手段により指定された第３の属性に基づいて、前記複数の所定の入力用画像の中から、前記第２の入力用画像と異なる第３の入力用画像を選択して表示するように、前記入力用画像表示手段を制御する。
好適には、前記第３の属性指定手段は、操作に応じて、前記第１の属性がアルファベットを表示することを示す場合には、前記入力用画像が全角文字および半角文字のいずれを表示するかを示す前記第３の属性を指定し、前記第１の属性が仮名文字を表示することを示す場合には、前記入力用画像が平仮名および片仮名のいずれを表示するかを示す前記第３の属性を指定する。
【手続補正４】
【補正対象書類名】明細書
【補正対象項目名】０００７
【補正方法】変更
【補正の内容】
【０００７】
好適には、前記表示画面に表示された入力用画像は、それぞれ異なる第１の図形，第２の図形により表示される第１の入力手段，第２の入力手段を含み、前記第１の入力手段，第２の入力手段に対する操作に応じて、前記第２の属性指定手段および第３の属性指定手段は、それぞれ第２の属性および第３の属性を指定し、前記制御手段は、前記第１の入力手段，第２の入力手段を、それぞれ前記第１の図形，第２の図形と異なる第３の図形，第４の図形により表示するように、前記入力用画像表示手段を制御する。
【手続補正５】
【補正対象書類名】明細書
【補正対象項目名】００１０
【補正方法】変更
【補正の内容】
【００１０】
また、本発明にかかる入力用画像表示方法は、データ入力に用いられる複数の所定の入力用画像のいずれかを、操作に応じて選択して表示画面に表示する入力用画像表示方法であって、前記複数の所定の入力用画像はそれぞれ所定の属性を有し、操作に応じて、前記複数の所定の入力用画像の属性の内、データ入力の前に第１の属性を指定し、指定した前記第１の属性に基づいて、前記複数の所定の入力用画像の中から、初期表示画像として第１の入力用画像を選択して表示し、操作に応じて、前記複数の所定の入力用画像の属性の内、データ入力の際に第２の属性を指定し、前記データ入力の際に、指定した前記第２の属性に基づいて、前記複数の所定の入力用画像の中から、前記第１の入力用画像と異なる第２の入力用画像を選択して表示する。